(57)【要約】【課題】配線接続の変更が必要となる場合においても、既配線接続部に触れる作業を伴うことなく配線の接続状態を変更可能な端子台装置およびそのカートリッジを提供する。【解決手段】端子台装置２０は、対向する二つの端子２３−ｎ，２４−ｎで構成される端子対が複数対設けられ、端子対を構成する二つの端子のうち一方の一次側端子２３−ｎに接続される一次側導体２９と他方の二次側端子２４−ｎに接続される二次側導体３０とを隔離するカートリッジ連結部３３を備える本体部２１と、カートリッジ連結部３３に対して着脱自在で、前記端子対の少なくとも一方の各端子と接触する構成であり、前記着脱によって、一次側導体２９および二次側導体３０に取り付けられる配線ｗの接続状態を、該配線ｗを取り外すことなく切替可能なカートリッジ部２２とを具備する。【選択図】  図１
2016058210.tif 000002
【特許請求の範囲】
【請求項１】
対向する二つの端子で構成される端子対が複数対設けられ、前記端子対を構成する二つの端子のうち一方の端子に電気的に接続される第１の導体と他方の端子に電気的に接続される第２の導体とを隔離するカートリッジ連結部を備える本体部と、
前記カートリッジ連結部に対して着脱自在で、装着状態では前記端子対の少なくとも一方の各端子と接触する構成であり、前記着脱によって、前記本体部の前記第１の導体および前記第２の導体に取り付けられる配線の接続状態を、該配線を取り外すことなく切替可能なカートリッジ部とを具備することを特徴とする端子台装置。
【請求項２】
前記カートリッジ部は、前記装着状態で、個々の前記端子対のうち少なくとも一部の端子対が前記第１の導体と前記第２の導体と接触させる接続導体を備えることを特徴とする請求項１記載の端子台装置。
【請求項３】
前記カートリッジ部は、前記接続導体のうち少なくとも一部の接続導体と接続される分岐導体に設けられる中継端子をさらに備えることを特徴とする請求項２記載の端子台装置。
【請求項４】
前記カートリッジ部は、前記装着状態で、前記第２の導体と接する接点のうち、少なくとも一部の前記接点に絶縁部が設けられることを特徴とする請求項１から３の何れか１項に記載の端子台装置。
【請求項５】
前記端子対を構成する二つの端子の対向方向を横方向とし、前記端子対が設けられる方向を縦方向とする場合、
前記カートリッジ連結部は、前記縦方向の中心線を対称軸とする線対称に構成されており、前記カートリッジ部を二通りに装着可能に構成されることを特徴とする請求項１から４の何れか１項に記載の端子台装置。
【請求項６】
前記端子対を構成する二つの端子の対向方向を横方向とし、前記端子対が設けられる方向を縦方向とする場合、
前記カートリッジ連結部は、前記縦方向の中心線に対して非線対称に構成されており、前記カートリッジ部を装着する方向が正しい場合に装着可能に構成されることを特徴とする請求項１から４の何れか１項に記載の端子台装置。
【請求項７】
対向する二つの端子で構成される端子対が複数対設けられ、前記端子対を構成する二つの端子のうち一方の端子に電気的に接続される第１の導体と他方の端子に電気的に接続される第２の導体とを隔離するカートリッジ連結部を備える本体と、前記カートリッジ連結部に対して着脱自在で、装着状態では前記端子対の少なくとも一方の各端子と接触する構成であり、前記着脱によって、前記本体部の前記第１の導体および前記第２の導体に取り付けられる配線の接続状態を、該配線を取り外すことなく切替可能なカートリッジとを具備する端子台装置に適用されるカートリッジであって、
前記カートリッジは、前記装着状態で、個々の前記端子対のうち少なくとも一部の端子対が前記第１の導体と前記第２の導体と接触させる接続導体を備えることを特徴とする端子台装置のカートリッジ。
【請求項８】
前記カートリッジは、前記接続導体のうち少なくとも一部の接続導体と接続される分岐導体に設けられる中継端子をさらに備えることを特徴とする請求項７記載の端子台装置のカートリッジ。
【請求項９】
前記カートリッジは、前記装着状態で、前記第２の導体と接する接点のうち、少なくとも一部の前記接点に絶縁部が設けられることを特徴とする請求項７または８記載の端子台装置のカートリッジ。
【請求項１０】
前記端子対を構成する二つの端子の対向方向を横方向とし、前記端子対が設けられる方向を縦方向とする場合、
前記カートリッジ連結部は、前記縦方向の中心線を対称軸とする線対称に構成されており、前記カートリッジを二通りに装着可能に構成されることを特徴とする請求項７から９の何れか１項に記載の端子台装置のカートリッジ。
【請求項１１】
前記端子対を構成する二つの端子の対向方向を横方向とし、前記端子対が設けられる方向を縦方向とする場合、
前記カートリッジ連結部は、前記縦方向の中心線に対して非線対称に構成されており、前記カートリッジを装着する方向が正しい場合の一通りに装着可能に構成されることを特徴とする請求項７から９の何れか１項に記載の端子台装置のカートリッジ。
【発明の詳細な説明】
【技術分野】
【０００１】
本発明は、端子台装置およびそのカートリッジに関するものである。
【背景技術】
【０００２】
端子台装置は、電気的に配線を接続、分岐、または中継する目的で、例えば制御盤などに使用されている。
【０００３】
定期点検や改造といった作業においては、電気的な接続を分離したり絶縁したりするアイソレーション、離れた電気回路間を電気的に接続するジャンパー、端子台から任意の信号の取り出し、または任意信号を他の制御盤などへ分岐などの配線接続変更作業を端子台装置の端子部で行っているため、端子部に接続されている配線ケーブルのリフト（端子からの取り外し）と復旧処置とを何度も繰り返すことが必要となっていた。
【０００４】
また、制御盤の更新時などでは、作業期間中であっても停止できない、または、短期間の停止でなければ許容されないような設備に対し、作業期間中の機能維持が求められる。この機能維持の要求に対しては、仮設の制御盤を設けることなどで対応することができるものの、運用する制御盤を、更新対象の制御盤と仮設の制御盤との間で切り替える切替作業では、配線ケーブルの物量が多いため、上述した通り、手間を要し、現場での作業負担が大きい。そのため、制御盤の更新などの作業中に誤配線接続などが生じる可能性もあり、品質面で懸念される。
【０００５】
このような現場での作業負担軽減の観点から、端子台作業において、スイッチ機構によりアイソレーションが可能な端子台や端子台本体から端子部そのものを取り付け又は取り外す（着脱する）ことで、分離可能な端子台装置などの作業者にとって効率的で容易に処置できる端子台装置が考案されている（例えば、特許文献１,２参照）。
【先行技術文献】
【特許文献】
【０００６】
【特許文献１】特開平１０−３１２８４２号公報
【特許文献２】特開平１０−２２３２８８号公報
【発明の概要】
【発明が解決しようとする課題】
【０００７】
しかしながら、上述した特許文献１,２に記載される端子台装置でも、例えば、仮設の制御盤などの他の制御盤へ中継する必要が生じた場合には、既に配線接続されるケーブル（既配線接続ケーブル）のリフトや既に配線接続されている端子部（既配線接続端子部）に触れる作業を伴うものとなっている。
【０００８】
より詳細には、特許文献１に記載される端子台装置おいては、従前の端子台装置に対して、端子チャンネル個々にアイソレーション可能な構成、およびチェックピンを着脱自在な構成を備えているが、端子部から任意信号を他の制御盤などへ分岐する場合などの配線接続変更を必要とする場合には、どうしても既配線接続ケーブルのリフトや既配線接続端子部に触れる作業を伴う。
【０００９】
また、特許文献２に記載される端子台装置は、従来の端子台装置の土台となる端子台本体をベースとし、一次側端子を有する部分である一次側端子部および二次側端子を有する部分である二次側端子部が、それぞれ、ベースから着脱可能に構成されている。この特許文献２に記載される端子台装置についても、端子台装置のベースから一次側端子部および二次側端子部の少なくとも一方を着脱する際に、どうしても既配線接続部に触れる作業を伴う。
【００１０】
本発明は、上述した事情に鑑みてなされたものであり、配線接続の変更が必要となる場合においても、既配線接続ケーブルのリフトなどの既配線接続部に触れる作業を伴うことなく配線の接続状態を変更可能な端子台装置およびそのカートリッジを提供することを目的とする。
【課題を解決するための手段】
【００１１】
本発明の実施形態に係る端子台装置は、上述した課題を解決するため、対向する二つの端子で構成される端子対が複数対設けられ、前記端子対を構成する二つの端子のうち一方の端子に接続される第１の導体と他方の端子に接続される第２の導体とを隔離するカートリッジ連結部を備える本体部と、前記カートリッジ連結部に対して着脱自在で、装着状態では前記端子対の少なくとも一方の各端子と接触する構成であり、前記着脱によって、前記本体部の前記第１の導体および前記第２の導体に取り付けられる配線の接続状態を、該配線を取り外すことなく切替可能なカートリッジ部とを具備することを特徴とする。
【００１２】
本発明の実施形態に係る端子台装置のカートリッジは、上述した課題を解決するため、対向する二つの端子で構成される端子対が複数対設けられ、前記端子対を構成する二つの端子のうち一方の端子に接続される第１の導体と他方の端子に接続される第２の導体とを隔離するカートリッジ連結部を備える本体と、前記カートリッジ連結部に対して着脱自在で、装着状態では前記端子対の各端子と接触する構成であり、前記着脱によって、前記本体部の前記第１の導体および前記第２の導体に取り付けられる配線の接続状態を、該配線を取り外すことなく切替可能なカートリッジとを具備する端子台装置に適用されるカートリッジであって、前記カートリッジは、前記装着状態で、個々の前記端子対のうち少なくとも一部の端子対が前記第１の導体と前記第２の導体と接触させる接続導体を備えることを特徴とする。
【発明の効果】
【００１３】
本発明の実施形態によれば、配線接続の変更が必要となる場合においても、既配線接続ケーブルのリフトなどの既配線接続部に触れる作業を伴うことなく配線の接続状態を変更することができる。
【図面の簡単な説明】
【００１４】
【図１】実施形態に係る端子台装置の全体を示す概略図であり、（Ａ）は平面図、（Ｂ）は正面図（矢印I(B)方向に見た矢視図）、（Ｃ）は横断面図（I(C)-I(C)線断面図）。
【図２】実施形態に係る端子台装置の第１のカートリッジ（カートリッジ部）の全体を示す概略図であり、（Ａ）は平面図、（Ｂ）は正面図（矢印II(B)方向に見た矢視図）、（Ｃ）は背面図（矢印II(C)方向に見た矢視図）、（Ｄ）は横断面図（II(D)-II(D)線断面図）。
【図３】実施形態に係る端子台装置の本体部の全体を示す概略図であり、（Ａ）は平面図、（Ｂ）は正面図（矢印III(B)方向に見た矢視図）、（Ｃ）は横断面図（III(C)-III(C)線断面図）。
【図４】実施形態に係る端子台装置の第２のカートリッジ（カートリッジ部）の全体を示す概略図であり、（Ａ）は正面図、（Ｂ）は背面図、（Ｃ）は横断面図（IV(C)−IV(C)線断面図）。
【図５】実施形態に係る端子台装置の第３のカートリッジ（カートリッジ部）の全体を示す概略図であり、（Ａ）は正面図、（Ｂ）は背面図、（Ｃ）は横断面図（V(C)−V(C)線断面図）。
【図６】実施形態に係る端子台装置の第４のカートリッジ（カートリッジ部）の全体を示す概略図であり、（Ａ）は正面図、（Ｂ）は背面図、（Ｃ）は横断面図（VI(C)−VI(C)線断面図）、（Ｄ）は横断面図（VI(D)−VI(D)線断面図）。
【発明を実施するための形態】
【００１５】
以下、本発明の実施形態に係る端子台装置およびそのカートリッジについて、図面を参照して説明する。
【００１６】
図１〜３は、実施形態に係る端子台装置の一例である端子台装置２０を説明する説明図であり、図１は端子台装置２０の全体構成を説明する説明図、図２は端子台装置２０の本体部２１に取り付けられるカートリッジ部２２（２２Ａ）の全体構成を説明する説明図、図３は端子台装置２０の本体部２１の全体構成を説明する説明図である。
【００１７】
図１について、より詳細には、図１（Ａ）は本体部２１（詳細は図３）にカートリッジ部２２Ａ（詳細は図２）を取り付けた状態にある端子台装置２０の平面図、図１（Ｂ）はカートリッジ部取付状態にある端子台装置２０の正面図（図１（Ａ）に示される矢印I(B)方向に見た矢視図）、および図１（Ｃ）はカートリッジ部取付状態にある端子台装置２０の横断面図（図１（Ａ）に示されるII(C)-II(C)線断面図）である。
【００１８】
図２について、より詳細には、図２（Ａ）はカートリッジ部２２としての第１のカートリッジ部２２Ａの平面図、図２（Ｂ）は第１のカートリッジ部２２Ａの正面図（図２（Ａ）に示される矢印II(B)方向に見た矢視図）、および図２（Ｃ）は第１のカートリッジ部２２Ａの横断面図（図２（Ａ）に示されるII(C)−II(C)線断面図）である。
【００１９】
図３について、より詳細には、図３（Ａ）は本体部２１の平面図、図３（Ｂ）は本体部２１の正面図（図３（Ａ）に示される矢印III(B)方向に見た矢視図）、および図３（Ｃ）は本体部２１の横断面図（図３（Ａ）に示されるIII(C)−III(C)線断面図）である。
【００２０】
なお、図１、２、および４〜６において、カートリッジ部２２（２２Ａ〜２２Ｄ）に記載される＃１〜＃１２は、端子台装置２０の対向する二つの端子（端子対）に付される番号（以下、単に「端子番号」と称する。）を示しており、＃ｎ（１≦ｎ≦１２の自然数）は、端子番号ｎ番を示している。
【００２１】
端子台装置２０は、本体部２１（詳細は図３）と、カートリッジ部２２としての第１のカートリッジ部２２Ａ（詳細は図２）とを備え、第１のカートリッジ２２Ａを本体部２１と着脱自在に構成される。端子台装置２０では、本体部２１に、配線ｗを結線するための複数の端子対として、例えば、１２対の一次側端子部２３、および二次側端子部２４が設けられており、通常運用時には、一次側端子部２３と二次側端子部２４との間に位置する中央部にカートリッジ部２２（第１のカートリッジ部２２Ａ）が装着され、ねじ２５ａ，２５ｂなどのカートリッジ部固着具によって本体部２１に固着される。
【００２２】
本体部２１の本体基盤２７には、端子台装置２０を取り付けるための取付穴２６が設けられている。また、本体部２１の一次側端子２３−１〜２３−１２には、それぞれ、電気的に接続される一次側導体２９が設けられ、二次側端子２４−１〜２４−１２には、それぞれ、電気的に接続される二次側導体３０が設けられる。
【００２３】
なお、端子台装置２０には、対向する一次側端子２３−１〜２３−１２および二次側端子２４−１〜２４−１２との端子対に付されている端子番号を表示する端子番号札２８が、例えば、カートリッジ部２２の上面に視認可能に取り付けられている。
【００２４】
端子台装置２０では、カートリッジ部２２を本体部２１に取り付ける（装着する）ことで、カートリッジ部２２が一次側導体２９および二次側導体３０に接触する。カートリッジとしての第１のカートリッジ部２２Ａが本体部２１に取り付けられている端子台装置２０では、図１（Ｃ）に示されるように、第１のカートリッジ部２２Ａに設けられる接続導体３１が、一次側端子部２３側の一次側導体２９と二次側端子部２４側の二次側導体３０との両方に接触し、一次側端子部２３（各一次側端子２３−１〜２３−１２）と二次側端子部２４（各二次側端子２４−１〜２４−１２）との間が接続導体３１を介して電気的に接続される。
【００２５】
一方、端子台装置２０においては、図１〜３に示されるように、ねじ２５ａ，２５ｂを緩めてカートリッジ部２２を持ち上げる（取り外す）ことで、通常、既に配線されている一次側端子部２３側および二次側端子部２４側に触れることなく、カートリッジ部２２を本体部２１から取り外すことができる。
【００２６】
例えば、図１に示されるように、端子台装置２０は、第１のカートリッジ部２２Ａが本体部２１のカートリッジ連結部３３（図３）に配置され、ねじ２５ａ，２５ｂによってカートリッジ部固着穴３３ａ，３３ｂ（図３）に固着されて取り付けられている状態では、一次側端子部２３側と二次側端子部２４側との間が接続導体３１を介して電気的に接続されている（図１（Ｃ））。
【００２７】
第１のカートリッジ部２２Ａが本体部２１のカートリッジ連結部３３に装着された状態（図１）（第１の接続状態）から、図３に例示されるように、第１のカートリッジ部２２Ａを本体部２１から取り外した状態（第２の接続状態）にすることで、第１のカートリッジ部２２Ａ装着時（図１）には接続導体３１を介して導通している一次側導体２９および二次側導体３０間が、第１のカートリッジ部２２Ａを本体部２１に連結（装着）する連結部であるカートリッジ連結部３３によって電気的に分離されるので、一次側導体２９と導通可能に接続される一次側端子部２３側と二次側導体３０と導通可能に接続される二次側端子部２４側とが電気的接続が分離（絶縁）される。
【００２８】
このように、端子台装置２０では、既配線接続部としての一次側端子部２３（一次側端子２３−１〜２３−１２）および二次側端子部２４（二次側端子２４−１〜２４−１２）に触れることなく、第１のカートリッジ部２２Ａを着脱することで、一次側端子部２３および二次側端子部２４に取り付けられた配線ｗ（図１（Ａ））、すなわち、一次側導体２９および二次側導体３０に取り付けられる配線ｗ（図１（Ａ））の接続状態を、一次側端子部２３および二次側端子部２４から配線ｗを取り外すことなく（既配線接続部に触れることなく）、一次側端子部２３および二次側端子部２４間を電気的に接続された状態（通電状態）にしたり、電気的に非接続（分離、絶縁）された状態（非導通状態）にしたりすることができる。
【００２９】
換言すれば、端子台装置２０は、第１のカートリッジ部２２Ａの着脱によって、一次側端子部２３および二次側端子部２４から配線ｗを取り外すことなく、一次側端子部２３と電気的に接続される一次側導体２９の電路、および二次側端子部２４と電気的に接続される二次側導体３０の電路を切り替えることができる。
【００３０】
また、カートリッジ部２２の着脱は、既配線接続ケーブルのリフトなどの既配線接続部に触れる作業を伴うことなく行えるため、制御盤の更新などの現場での作業の際に誤配線接続などが生じる可能性を排除でき、作業の質を従来よりも高めることができる。
【００３１】
さらに、端子台装置２０では、第２のカートリッジ部２２Ｂ（図４）などの第１のカートリッジ部２２Ａ（図２）とは異なるカートリッジ部２２を用意することで、一次側導体２９および二次側導体３０に接続される配線に対して、既配線接続部（一次側端子部２３および二次側端子部２４）に接続される配線を取り外すことなく、様々な態様（例えば、分岐や中継）での接続状態の切り替えが可能になる。
【００３２】
なお、本明細書でいう接続状態の切り替えは、電気的に接続されるか否（分離されている）かを切り替えることにとどまらず、さらに広義に解釈する。例えば、他の配線を取付可能な接点を追加することや、電気的に接続される相手を切り替えることなどの電路の変更も含まれるものとする。
【００３３】
続いて、端子台装置２０の本体部２１に取り付けられるカートリッジ部２２の他の例として、第１のカートリッジ部２２Ａとは異なるカートリッジ部２２について幾つか例示する。なお、後述する第２，３，４のカートリッジ部２２Ｂ，２２Ｃ，２２Ｄの平面図は、第１のカートリッジ部２２Ａの平面図に対して実質的に差異がなく、符号２２Ａを２２Ｂ〜２２Ｄに読み替えれば、図２（Ａ）は第２〜４のカートリッジ部２２Ｂ〜２２Ｄの平面図となる。そこで、後述する図４〜６では、第２〜４のカートリッジ部２２Ｂ〜２２Ｄの平面図を省略する。
【００３４】
図４は、第２のカートリッジ部２２Ｂの全体を示す概略図であり、図４（Ａ）、図４（Ｂ）および図４（Ｃ）は、それぞれ、第２のカートリッジ部２２Ｂの正面図、背面図、および横断面図（図４（Ａ）に示されるIV(C)−IV(C)線断面図）である。
【００３５】
第２のカートリッジ部２２Ｂ（図４）は、第１のカートリッジ部２２Ａ（図２）に対して、例えば１２個などの複数個の中継端子３５−１〜３５−１２を有する中継端子部３５が追設されている。中継端子３５−１〜３５−１２は、それぞれ、導体である分岐導体３７−１〜３７−１２を介して接続導体３１−１〜３１−１２と物理的に接続されている。なお、図４に例示される第２のカートリッジ部２２Ｂでは、中継端子３５の個数は、端子対の数と同じ１２個となっているが、必ずしも端子対の数と同数でなくてもよい。
【００３６】
端子台装置２０（図１）において、第１のカートリッジ部２２Ａの代わりに、第２のカートリッジ部２２Ｂを本体部２１に取り付ければ、第２のカートリッジ部２２Ｂが一次側導体２９および二次側導体３０に接触するため、第１のカートリッジ部２２Ａと同様に、接続導体３１を介して一次側端子部２３（各一次側端子２３−１〜２３−１２）と二次側端子部２４（各二次側端子２４−１〜２４−１２）との間を電気的に接続することができるとともに、接続導体３１−１〜３１−１２および分岐導体３７−１〜３７−１２を介して、それぞれ、各一次側端子２３−１〜２３−１２と電気的に接続される中継端子３５−１〜３５−１２を提供することができる（第３の接続状態）。
【００３７】
このように、端子台装置２０では、既配線接続部としての一次側端子部２３（一次側端子２３−１〜２３−１２）および二次側端子部２４（二次側端子２４−１〜２４−１２）に触れることなく、第２のカートリッジ部２２Ｂを取り付けることにより、一次側端子部２３および二次側端子部２４に接続される配線を一次側と二次側とで電気的に接続するとともに、電気的に接続される一次側端子２３−１〜２３−１２および二次側端子２４−１〜２４−１２の間に中継端子３５−１〜３５−１２を提供することができる。
【００３８】
また、本体部２１に取り付けられる第２のカートリッジ部２２Ｂを本体部２１から取り外すことで、一次側端子部２３および二次側端子部２４に接続される配線を一次側と二次側とで電気的に分離することができる。また、併せて、一次側端子部２３および二次側端子部２４と中継端子３５−１〜３５−１２とを電気的に分離（非接続）とすることができる（第２の接続状態に相当）。
【００３９】
換言すれば、端子台装置２０は、第２のカートリッジ部２２Ｂの着脱によって、一次側端子部２３および二次側端子部２４から配線ｗを取り外すことなく、一次側端子部２３と電気的に接続される一次側導体２９の電路および二次側端子部２４と電気的に接続される二次側導体３０の電路を、一次側導体２９と二次側導体３０とが電気的に接続され、かつ一次側導体２９および二次側導体３０の間で中継端子３５と電気的に接続される電路（第２のカートリッジ部２２Ｂを取り付けた場合）とするか、一次側導体２９の電路と二次側導体３０の電路とが電気的に切り離されている二つの独立した電路（第２のカートリッジ部２２Ｂを取り外した場合）とするか、を切り替えることができる。
【００４０】
上記電路の切り替えは、一次側導体２９および二次側導体３０とを電気的に接続しつつ、一次側導体２９および二次側導体３０と導通可能に接続される中継端子３５−１〜３５−１２を提供するか否（一次側導体２９および二次側導体３０とを電気的に分離して中継端子３５−１〜３５−１２を提供しない）かを切り替えることであり、一次側導体２９および二次側導体３０と電気的に接続される配線の接続状態を切り替える一態様といえる。
【００４１】
図５は、第３のカートリッジ部２２Ｃの全体を示す概略図であり、図５（Ａ）、図５（Ｂ）および図５（Ｃ）は、それぞれ、第３のカートリッジ部２２Ｃの正面図、背面図、および横断面図（図５（Ａ）に示されるV(C)−V(C)線断面図）である。
【００４２】
第３のカートリッジ部２２Ｃ（図５）は、第１のカートリッジ部２２Ａ（図２）に対して、接続導体３１−１〜３１−１２が省かれる一方、第３のカートリッジ部２２Ｃを本体部２１（図１）に装着した場合に、例えば一次側端子部２３の一次側導体２９（図１）などの一方の端子部の導体と接するとともに、例えば１２個などの複数個の中継端子３５−１〜３５−１２を有する中継端子部３５の各中継端子３５−１〜３５−１２と各々接する分岐導体３７−１〜３７−１２が追設されている。すなわち、第３のカートリッジ部２２Ｃは、第２のカートリッジ部２２Ｂ（図４）に対しては、接続導体３１−１〜３１−１２を省いた構成である。
【００４３】
端子台装置２０（図１）において、第１のカートリッジ部２２Ａの代わりに、第３のカートリッジ部２２Ｃを本体部２１に取り付ければ、第３のカートリッジ部２２Ｃが一次側導体２９に接触する一方、二次側導体３０には非接触となるため、一次側端子部２３（各一次側端子２３−１〜２３−１２）は分岐導体３７（３７−１〜３７−１２）を介して各一次側端子２３−１〜２３−１２と電気的に接続される中継端子３５−１〜３５−１２を提供すると同時に、二次側端子部２４（各二次側端子２４−１〜２４−１２）を一次側端子部２３から電気的に分離することができる（第４の接続状態）。なお、第３のカートリッジ部２２Ｃを本体部２１から取り外した場合（第２の接続状態）は、第２のカートリッジ部２２Ｂなどの他のカートリッジ部を本体部２１から取り外した場合と同様である。
【００４４】
このように、端子台装置２０では、既配線接続部としての一次側端子部２３（一次側端子２３−１〜２３−１２）および二次側端子部２４（二次側端子２４−１〜２４−１２）に触れることなく、第３のカートリッジ部２２Ｃを着脱することで、一次側端子部２３および二次側端子部２４から配線ｗを取り外すことなく、一次側端子部２３と電気的に接続される一次側導体２９の電路および二次側端子部２４と電気的に接続される二次側導体３０の電路を、一次側導体２９の電路と二次側導体３０の電路とを電気的に分離したまま一次側導体２９または二次側導体３０の電路に中継端子３５が電気的に接続される電路（第３のカートリッジ部２２Ｃを取り付けた場合）とするか、中継端子３５が設置されない一次側導体２９の電路と二次側導体３０の電路とが電気的に切り離されている二つの独立した電路（第３のカートリッジ部２２Ｃを取り外した場合）とするか、を切り替えることができる。
【００４５】
上記電路の切り替えは、一次側導体２９の電路と二次側導体３０の電路とを電気的に分離したまま、一次側導体２９または二次側導体３０と導通可能に接続される中継端子３５−１〜３５−１２を提供するか否（一次側導体２９および二次側導体３０とを電気的に分離して中継端子３５−１〜３５−１２を提供しない）かを切り替えることであり、一次側導体２９および二次側導体３０と電気的に接続される配線の接続状態を切り替える一態様といえる。すなわち、第３のカートリッジ部２２Ｃは、第１，２のカートリッジ部２２Ａ，２２Ｂと同様に、一次側端子部２３および二次側端子部２４から配線ｗ（図１（Ａ））を取り外すことなく（既配線接続部に触れることなく）、一次側導体２９および二次側導体３０と電気的に接続される配線の接続状態を切り替えることができる。
【００４６】
なお、端子台装置２０（図１）において、カートリッジ部２２としての第３のカートリッジ部２２Ｃ（図５）を着脱自在に配置可能なカートリッジ部２２の受け部として本体部２１に設けられるカートリッジ連結部３３（図３）を、一次側端子２３−１〜２３−１２および二次側端子２４−１〜２４−１２で構成される１２対の端子対のうち、各端子対を構成する二つの端子２３−ｎ，２４−ｎ（１≦ｎ≦１２の自然数）の対向方向（図１，３，４における縦方向）を横方向とし、各端子対が設けられる方向を縦方向（図１，３，４における横方向）とする場合に、縦方向の中心線を対称軸とする線対称な構成としてもよい。
【００４７】
カートリッジ部２２を線対称な構成とすれば、例えば、図１に示されるカートリッジ部２２を、左右逆方向にした（＃１が右端で＃１２が左端になるように左右を反対にした）状態にしても装着することが可能となり、順方向（＃１が左端で＃１２が右端となる方向）および逆方向（＃１が右端で＃１２が左端となる方向）の二通りに装着することができる。例えば、第３のカートリッジ部２２Ｃを線対称な構成とすれば、一次側端子部２３を二次側端子部２４と電気的に分離しつつ、一次側端子部２３に接続される配線と接続可能な中継端子３５−１〜３５−１２を提供する機能と、二次側端子部２４を一次側端子部２３と電気的に分離しつつ、二次側端子部２４に接続される配線と接続可能な中継端子３５−１〜３５−１２を提供する機能とを一台のカートリッジに持たせることができる。
【００４８】
また、この場合には、端子番号札２８を取り外して（＃１が右端で＃１２が左端になるように）反転させて再度取り付けることで、既存の端子番号との整合性を維持することができる。また、この反転作業を端子番号札２８を着脱させることなく行えるようにするため、カートリッジ部２２に、縦方向の中心位置を中心に端子番号札２８またはその土台を回転させる機能を持たせてもよい。
【００４９】
一方、カートリッジ部２２を各端子対が設けられる縦方向の中心線を対称軸とし、この対称軸に対して敢えて非線対称な構成とすることもできる。カートリッジ部２２を非線対称な構成とすることによって、本体部２１への逆方向装着を禁止することができ、誤った方向での装着を許容できない場合に、誤装着を防止することができる。
【００５０】
さらに、第３のカートリッジ部２２Ｃは、本体部２１との背面側の接点（接面）が第３のカートリッジ部２２Ｃの本体を構成する非導電性プラスチックなどの絶縁体によって一次側導体２９と二次側導体３０との電気的な接続を分離（絶縁）する絶縁部が形成されているが、背面側の接点（接面）部分を絶縁体とみなせる絶縁部が形成されている限り、すなわち、本体部２１の一次側導体２９または二次側導体３０との電気的な接続を分離可能に構成されている限り、図５に示される構成に限定されない。
【００５１】
例えば、順方向（図１，図４に示される方向）に第２のカートリッジ部２２Ｂ（図４）が装着される場合に本体部２１と背面側で接する接続導体３１−１〜３１−１２の表面（本体部２１との背面側の接面）を絶縁樹脂でコーティングするなどして接続導体３１−１〜３１−１２の背面側端部に絶縁部を形成してもよい。
【００５２】
図６は、第４のカートリッジ部２２Ｄの全体を示す概略図であり、図６（Ａ）、図６（Ｂ）および図６（Ｃ）は、それぞれ、第４のカートリッジ部２２Ｄの正面図、背面図、および横断面図（図６（Ａ）に示されるVI(C)−VI(C)線断面図）である。
【００５３】
第４のカートリッジ部２２Ｄ（図６）は、簡潔に言えば、第１のカートリッジ部２２Ａに対して、部分的に第３のカートリッジ部２２Ｃ（図５）を採用した構成であり、端子番号＃５〜＃８が第１のカートリッジ部２２Ａ、残りの端子番号＃１〜＃４，＃９〜＃１２が第３のカートリッジ部２２Ｃである。
【００５４】
端子台装置２０（図１）において、第１のカートリッジ部２２Ａの代わりに、第４のカートリッジ部２２Ｄを本体部２１に取り付ければ（第５の接続状態）、端子番号＃５〜＃８については第１のカートリッジ部２２Ａと同様の作用および効果を得ることができ、端子番号＃１〜＃４，＃９〜＃１２については第３のカートリッジ部２２Ｃと同様の作用および効果を得ることができる。
【００５５】
このように、端子台装置２０では、既配線接続部としての一次側端子部２３（一次側端子２３−１〜２３−１２）および二次側端子部２４（二次側端子２４−１〜２４−１２）に触れることなく、第４のカートリッジ部２２Ｄを着脱することで、端子番号＃５〜＃８については一次側端子部２３および二次側端子部２４に接続される配線を接続したり、分離したりすることができる。また、端子番号＃１〜＃４，＃９〜＃１２については、一次側端子部２３または二次側端子部２４に中継点（中継端子３５−１〜４，３５−９〜１２）を提供したり、一次側端子部２３と二次側端子部２４に接続される配線を分離（絶縁）したりすることができる。
【００５６】
すなわち、端子台装置２０では、カートリッジ部２２を着脱可能な構成とし、カートリッジ部２２の一例である第４のカートリッジ部２２Ｄを着脱することで、既配線接続部（一次側端子部２３および二次側端子部２４）に接続される配線を取り外すことなく、一次側導体２９および二次側導体３０と導通可能に接続される配線の接続状態を切り替えることができる。
【００５７】
以上、端子台装置２０およびそのカートリッジとしてのカートリッジ部２２（２２Ａ〜２２Ｄ）によれば、配線接続の変更が必要となる場合においても、カートリッジ部２２（２２Ａ〜２２Ｄ）を着脱することで、一次側端子部２３および二次側端子部２４に接続される配線を取り外すことなく、一次側端子部２３および二次側端子部２４を介して一次側導体２９および二次側導体３０に接続される配線の接続状態を切り替えることができる。従って、配線接続の変更が必要となる場合における作業負担が従来よりも軽減される。
【００５８】
また、カートリッジ部２２（２２Ａ〜２２Ｄ）の着脱の際には、既配線接続ケーブルのリフトなどの既配線接続部に触れる作業が不要になるので、制御盤の更新などの現場での作業の際に誤配線接続などが生じる可能性を排除でき、作業の質を従来よりも高めることができる。
【００５９】
また、端子台装置２０およびそのカートリッジとしてのカートリッジ部２２（２２Ａ〜２２Ｄ）によれば、用途に合致するカートリッジ部２２（２２Ａ〜２２Ｄ）を用意すれば、これらのカートリッジ部２２（２２Ａ〜２２Ｄ）を用途に応じて着脱することで、一次側端子部２３および二次側端子部２４から配線ｗを取り外すことなく（既配線接続部に触れることなく）、様々な配線の接続状態への切り替えや端子２３−１〜２３−１２，２４−１〜２４−１２の分岐などが可能となるので、一つの端子台装置２０で様々な用途へ展開することができる。
【００６０】
なお、本発明は上述した実施形態そのままに限定されるものではなく、実施段階では、上述した実施例以外にも様々な形態で実施することが可能である。例えば、第４のカートリッジ部２２Ｄ（図６）は、第１，３のカートリッジ部２２Ａ，２２Ｃ（図２，５）を組み合わせて採用した例であるが、第２，３のカートリッジ部２２Ｂ，２２Ｃ（図４，５）を組み合わせて採用したものなどでも実施することが可能である。
【００６１】
また、本発明は、発明の要旨を逸脱しない範囲で、種々の省略、追加、置き換え、変更を行うことができる。これら実施形態やその変形は、発明の範囲や要旨に含まれるとともに、特許請求の範囲に記載された発明とその均等の範囲に含まれる。
【符号の説明】
【００６２】
２０  端子台装置
２１  本体部
２２（２２Ａ〜２２Ｄ）  カートリッジ部（第１〜４のカートリッジ）
２３（２３−１，…，２３−１２）  一次側端子部
２４（２４−１，…，２４−１２）  二次側端子部
２５ａ，２５ｂ  ねじ（カートリッジ部固着具）
２６  取付穴
２７  本体基盤
２８  端子番号札
２９  一次側導体
３０  二次側導体
３１  接続導体
３３  カートリッジ連結部
３３ａ，３３ｂ  カートリッジ部固着穴
３５（３５−１，…，３５−１２）  中継端子部
３７  分岐導体
ｗ  配線
【図１】
2016058210.tif 000003
【図２】
2016058210.tif 000004
【図３】
2016058210.tif 000005
【図４】
2016058210.tif 000006
【図５】
2016058210.tif 000007
【図６】
2016058210.tif 000008